(57)【要約】【課題】業務日誌の作成を簡単かつ短時間に行えるようにするとともに、任意の時間または任意の場所で業務日誌の表示・編集を行えるようにし、これにより運用者の利便性を高めた監視装置を提供する。【解決手段】監視部２０において、入力装置３５により運用者情報及びその日の天気情報を入力して記憶装置３２に登録しておくことで、イベント発生時に、制御部３３にてイベント発生日時と、イベント発生元となる親局ＴＳ全体または符号化回路１１、変調回路１２、送受信部１４、復調回路１６、復号回路１７、モデム１９１〜１９ｎといった信号処理部の機器名と、イベント内容と、記憶装置３２に登録された運用者情報及び天気情報とを対応付けた業務日誌情報を自動的に生成し、この業務日誌情報を記憶媒体スロット３７に装着された外部メモリ４１に記憶できるようにしている。【選択図】      図２
2010206638.tif 000002
【特許請求の範囲】
【請求項１】
衛星を介して伝送信号を送受信する通信装置内で使用される複数の信号処理部それぞれの運用状態を監視する監視装置において、
前記複数の信号処理部の運用状態を監視する運用者と天候の入力を受け付ける入力手段と、
この入力手段により前記運用者及び天候が入力されたときに、これら前記運用者情報及び天候情報を登録メモリに登録する登録手段と、
前記伝送信号の送受信及び前記複数の信号処理部の運用状態の変化の少なくとも１つに係わるイベント発生時に、イベント発生日時と、イベント発生元となる前記通信装置を特定する識別情報または前記複数の信号処理部それぞれを特定する識別情報と、イベント内容と、前記登録メモリに登録された前記運用者情報及び天候情報とを対応付けた業務日誌情報を生成する業務日誌生成手段と、
外部記憶装置が接続される場合に、前記業務日誌生成手段により生成された前記業務日誌情報を外部記憶装置に記憶させる外部記憶制御手段とを具備したことを特徴とする監視装置。
【請求項２】
前記外部記憶制御手段は、前記外部記憶装置としての可搬型記憶媒体が着脱自在に装着される装着部と、前記業務日誌情報を前記装着部を介して前記可搬型記憶媒体に記憶させる手段とを備えることを特徴とする請求項１記載の監視装置。
【請求項３】
前記外部記憶制御手段は、前記業務日誌生成手段で生成された業務日誌情報を、既知のコンピュータ装置で表示・編集可能なデータフォーマットに変換するフォーマット変換手段と、このフォーマット変換手段によりフォーマット変換された業務日誌情報を前記外部記憶装置に記憶させる手段とを備えることを特徴とする請求項１記載の監視装置。
【請求項４】
前記フォーマット変換手段は、前記業務日誌情報をテキストファイルフォーマットに変換することを特徴とする請求項３記載の監視装置。
【請求項５】
衛星を介して伝送信号を送受信する通信装置内で使用される複数の信号処理部それぞれの運用状態を監視する監視装置で用いられ、
前記複数の信号処理部の運用状態を監視する運用者と天候が入力されたときに、これら前記運用者情報及び天候情報を登録メモリに登録し、
前記伝送信号の送受信及び前記複数の信号処理部の運用状態の変化の少なくとも１つに係わるイベント発生時に、イベント発生日時と、イベント発生元となる前記通信装置を特定する識別情報または前記複数の信号処理部それぞれを特定する識別情報と、イベント内容と、前記登録メモリに登録された前記運用情報及び天候情報とを対応付けた業務日誌情報を生成し、
外部記憶装置が接続される場合に、生成された業務日誌情報を外部記憶装置に記憶させることを特徴とする業務日誌情報保存方法。
【発明の詳細な説明】
【技術分野】
【０００１】
この発明は、例えば衛星通信システムの無線局内の各信号処理部それぞれの運用状態を監視するための業務日誌情報を生成する監視装置及び業務日誌情報保存方法に関する。
【背景技術】
【０００２】
放送システムにあっては、親局と子局とを衛星回線により接続する伝送システムが構築されている。この衛星回線は、予め決められた帯域のうち、映像・音声・データ伝送用の複数の映像回線と、親局と子局との間で通信を行なうための連絡回線とが周波数軸上で割り当てられている。
【０００３】
このようなシステムを用いれば、親局は遠隔地に設置される多数の子局に対し放送信号を伝送することができる。
【０００４】
ところで、上記親局、子局といった無線局においては、業務日誌を作成することが義務付けられている。この業務日誌の作成は、実際の運用後に運用者が運用状態を紙等に記入することにより行われる。このため、業務日誌の作成に多くの時間と労力を必要とし、しかも作成作業の大半が運用者の手により行われるため、人為的ミスの発生や業務日誌の記載漏れ等が多い。
【０００５】
なお、この種に関連する従来技術として、特許文献１に、無線通信装置において無線業務日誌を作成するためのデータをメモリに記録する構成が示されている。但し、この特許文献１に記載のものは、安価なコンピュータにより業務日誌に必要なデータをメモリから読み出すものであり、自己の無線局内の運用状態や運用状態に変化が生じたときの周囲の状況等を記載した業務日誌を作成するものではない。
【先行技術文献】
【特許文献】
【０００６】
【特許文献１】特願平３−５９６１６公報。
【発明の概要】
【発明が解決しようとする課題】
【０００７】
以上述べたように、従来の業務日誌の作成方法では、作成作業に多くの時間と労力を要するとともに、人為的ミスや業務日誌の記載漏れ等が発生しやすい。また、作成された業務日誌を表示・編集する場合に、時間や場所に限られることなく、如何なる装置により、都合のつく時間や都合のつく場所で業務日誌を表示・編集できるようにする手段についても強く要望されている。
【０００８】
そこで、この発明の目的は、業務日誌の作成を簡単かつ短時間に行えるようにするとともに、任意の時間または任意の場所で業務日誌の表示・編集を行えるようにし、これにより運用者の利便性を高めた監視装置及び業務日誌情報保存方法を提供することにある。
【課題を解決するための手段】
【０００９】
上記目的を達成するために、この発明に係わる監視装置は、衛星を介して伝送信号を送受信する通信装置内で使用される複数の信号処理部それぞれの運用状態を監視する監視装置において、複数の信号処理部の運用状態を監視する運用者と天候の入力を受け付ける入力手段と、この入力手段により運用者及び天候が入力されたときに、これら運用者情報及び天候情報を登録メモリに登録する登録手段と、伝送信号の送受信及び複数の信号処理部の運用状態の変化の少なくとも１つに係わるイベント発生時に、イベント発生日時と、イベント発生元となる通信装置を特定する識別情報または複数の信号処理部それぞれを特定する識別情報と、イベント内容と、登録メモリに登録された運用者情報及び天候情報とを対応付けた業務日誌情報を生成する業務日誌生成手段と、外部記憶装置が接続される場合に、業務日誌生成手段により生成された業務日誌情報を外部記憶装置に記憶させる外部記憶制御手段とを備えるようにしたものである。
【００１０】
この構成によれば、運用者はまず運用者情報及びその日の天候情報を記録媒体に登録しておくだけで、イベント発生時に、イベント発生日時と、イベント発生元となる通信装置を特定する識別情報または複数の信号処理部それぞれを特定する識別情報と、イベント内容と、記録媒体に登録された運用者情報及び天候情報とを対応付けた業務日誌情報が自動的に生成され、この業務日誌情報が外部記憶装置に記憶されることになる。
【００１１】
従って、運用者にとっては業務日誌の作成に必要な労力を大幅に低減することができ、また業務日誌情報の表示・編集を行う場合に、外部記憶装置に記憶された業務日誌情報を読み出すだけで、業務日誌情報の表示・編集を行うことが可能となり、これにより運用者の利便性は大幅に改善される。
【００１２】
外部記憶制御手段は、外部記憶装置としての可搬型記憶媒体が着脱自在に装着される装着部と、業務日誌情報を装着部を介して可搬型記憶媒体に記憶させる手段とを備える。
【００１３】
この構成によれば、生成された業務日誌情報は可搬型記憶媒体に記憶され、運用者がこの可搬型記憶媒体をパーソナル・コンピュータのスロットに装着すればこの可搬型記憶媒体から上記業務日誌情報が読み出され、業務日誌情報の表示・編集が行われる。このため、別室や外出先においても業務日誌情報の表示・編集を行うことが可能となり、これにより運用者の利便性は大幅に改善される。
【００１４】
前記外部記憶制御手段は、業務日誌生成手段で生成された業務日誌情報を、既知のコンピュータ装置で表示・編集可能なデータフォーマットに変換するフォーマット変換手段と、このフォーマット変換手段によりフォーマット変換された業務日誌情報を外部記憶装置に記憶させる手段とを備える。フォーマット変換手段は、業務日誌情報をテキストファイルフォーマットに変換する。
【００１５】
この構成によれば、生成された業務日誌情報のデータフォーマットをテキスト等のデータファイルフォーマットに変換する機能を監視装置に持たせることで、専用のソフトウェアを用意する必要がなく、一般的なパーソナル・コンピュータにより業務日誌情報の表示・編集を行うことができる。
【発明の効果】
【００１６】
この発明によれば、業務日誌の作成を簡単かつ短時間に行えるようにするとともに、任意の時間または任意の場所で業務日誌の表示・編集を行えるようにし、これにより運用者の利便性を高めた監視装置及び業務日誌情報保存方法を提供することができる。
【図面の簡単な説明】
【００１７】
【図１】この発明に係わる監視装置が使用される衛星通信システムの一実施形態を示す概略構成図。
【図２】上記図１に示した親局の監視・制御系統を示すブロック図。
【図３】同実施形態において、業務日誌情報を生成する際の監視部の動作手順とその内容を示すフローチャート。
【図４】同実施形態において、運用者及び天気の入力を受け付けるポップアップ画面の一例を示す図。
【図５】同実施形態において、予め登録された複数の運用者名の一覧の子画面を示す図。
【図６】同実施形態において、予め登録された複数の天気の一覧の子画面を示す図。
【図７】同実施形態において、運用者及び天気の登録済み画面を示す図。
【図８】同実施形態において、運用者及び天気の未登録画面を示す図。
【図９】同実施形態において、業務日誌画面を示す図。
【図１０】同実施形態において、生成した業務日誌情報を外部メモリに記憶する際の監視部の動作手順とその内容を示すフローチャート。
【発明を実施するための形態】
【００１８】
以下、この発明の実施形態について図面を参照して詳細に説明する。  
図１は、放送システムにおけるＳＮＧ(Satellite News Gathering)に適用したこの発明に係わる衛星通信システムの一実施形態を示す概略構成図であり、ＴＳは親局、ＲＳ１，ＲＳ２は子局をそれぞれ示している。
【００１９】
親局ＴＳは、図示しない放送素材送出処理部から出力された放送素材データを符号化回路１１に入力している。符号化回路１１は、入力された放送素材データを符号化し、この符号化データを変調回路１２に出力する。変調回路１２は、入力された符号化データを所定の変調方式により変調し、この変調信号を合成・分配器１３を介して送受信部（Ｔ／Ｒ）１４に供給する。
【００２０】
送受信部１４は、上記変調信号を周波数変換したのち所定の送信電力レベルに増幅し、この増幅された放送信号をアンテナ１５から衛星回線により衛星ＳＡＴに向け送信する。この衛星ＳＡＴに向けられて送信された放送信号は、各子局ＲＳ１，ＲＳ２により受信される。
【００２１】
また、送受信部１４は、衛星ＳＡＴから到来する各子局ＲＳ１，ＲＳ２からの放送信号を受信し、この受信信号を合成・分配器１３を介して復調回路１６に供給する。復調回路１６は、受信信号をデジタル復調してベースバンドの符号化データを復号回路１７に出力する。復号回路１７は、入力された符号化データを復号して元の放送素材データに戻す。
【００２２】
また、親局ＴＳには、連絡回線部（ＯＷ：Order Wire）のデータ送出装置を構成するデータ伝送アダプタ（ＯＷ  ＣＯＮＴ）１８と、モデム１９１〜１９ｎとが設けられる。また、データ伝送アダプタ１８には、図示しないルータ及びＬＡＮを介して電話機、ＦＡＸ及びサーバ装置が接続される。電話機、ＦＡＸ及びサーバ装置から発生したデータは、ルータを介してデータ伝送アダプタ１８に蓄積される。
【００２３】
データ伝送アダプタ１８は、蓄積された情報をモデム１９１〜１９ｎを介して合成・分配器１３に出力し、連絡回線を使用したデータ信号を生成する。
【００２４】
合成・分配器１３は、上記変調回路１２から出力される放送信号に、上記連絡回線を使用したデータ信号を合成する。そして、この合成信号を上記送受信部１４により送信させる。
【００２５】
さらに、親局ＴＳには、本発明に係わる監視部２０が備えられる。監視部２０は、各部の運用状態の監視を行う。
【００２６】
なお、子局ＲＳ１，ＲＳ２も、親局ＴＳと同様な構成である。
【００２７】
図２は、上記親局ＴＳの監視・制御系統を示すブロック図である。
【００２８】
すなわち、監視部２０は、アクティブハブ２１，２２及びローカル制御部２３，２４を介して符号化回路１１、変調回路１２、送受信部１４、復調回路１６、復号回路１７、モデム１９１〜１９ｎに接続されている。
【００２９】
監視部２０は、パーソナル・コンピュータ（ＰＣ）により構成され、通信部３１と、記憶部３２と、制御部３３と、ＣＲＴを用いた表示装置３４と、キーボード及びマウスからなる入力装置３５と、タイマ３６とを備え、さらに記憶媒体スロット３７と、外部インタフェース３８とを備えている。このうち、通信部３１は、符号化回路１１、変調回路１２、送受信部１４、復調回路１６、復号回路１７、モデム１９１〜１９ｎから送られる機器のアラーム情報や送信、受信した内容といったイベントをログデータとして受信する。
【００３０】
制御部３３は、通信部３１により受信したログデータをタイマ３６からの日付、時刻情報とともに記憶部３２に記憶するとともに、表示装置３４に供給して表示させる。このログデータには、イベント発生元となる機器名と、分類と、イベント発生内容と、イベント発生日時が含まれる。
【００３１】
記憶媒体スロット３７には外部メモリ４１が着脱自在に装着される。外部インタフェース３８は、制御部３３の指示に従い、記憶部３２から読み出されたデータを、上記記憶媒体スロット３７に装着された外部メモリ４１に書き込む。外部メモリ４１は、随時書き込み読み出しが可能な不揮発性記憶素子を使用したカード状あるいはスティック状のメモリである。
【００３２】
ところで、上記監視部２０は、この発明に係わる運用者情報及び天気情報の入力を受け付ける機能と、入力された運用者情報及び天気情報を記憶部３２に登録する機能と、入力された運用者情報及び天気情報を反映した業務日誌情報を生成する機能と、業務日誌情報を表示する機能と、生成した業務日誌情報を外部メモリ４１に記憶させる機能とを有している。これら機能は、上記通信部３１と、記憶部３２と、制御部３３と、表示装置３４と、入力装置３５と、記憶媒体スロット３７と、外部インタフェース３８とによって実現する。
【００３３】
入力装置３５は、監視部２０に対し種々の動作指示を入力するために使用するもので、希望する運用者の入力と、天気の入力にも使用される。これら運用者及び天気が入力された場合には、これら運用者情報及び天気情報が記憶部３２に記憶保持される。
【００３４】
制御部３３は、イベント発生により通信部３１によりログデータが受信されるごとに、イベント発生日時と、イベント発生元となる機器名と、イベント内容と、記憶部３２に登録された運用者情報及び天気情報とを対応付けた業務日誌情報を生成し、この生成した業務日誌情報を記憶部３２に記憶するとともに、表示装置３４に供給して表示させる。
【００３５】
また、制御部３３は、この発明に係わる新たな機能として、外部メモリ保存受付制御部３３ａ及びデータフォーマット変換制御部３３ｂを備えている。外部メモリ保存受付制御部３３ａは、記憶媒体スロット３７に外部メモリ４１が装着された状態で外部保存操作が行われた場合に、生成された業務日誌情報を外部メモリ４１に記憶させる。
【００３６】
データフォーマット変換制御部３３ｂは、上記業務日誌情報保存処理に際し、生成された業務日誌情報のデータフォーマットがテキストファイルフォーマットではない場合に、このテキストファイルのデータフォーマットへのフォーマット変換を行う。
【００３７】
次に、以上のように構成された監視部２０の動作を説明する。図３は、監視部２０において、業務日誌情報を生成する際の制御部３３の動作手順とその内容を示すフローチャートである。
【００３８】
制御部３３は、ステップＳＴ３ａにおいて、図４に示すように、運用者及び天気の入力を受け付けるポップアップ画面を表示装置３４に表示する。そして、この状態で運用者が画面右側の運用者選択ボタンを入力装置３５により押下したとする。そうすると、制御部３３は、ステップＳＴ３ａからステップＳＴ３ｂに移行してここで図５に示すような予め登録された複数の運用者名の一覧の子画面を表示装置３４に表示する。この表示状態で、ユーザの選択、追加、削除が行えることになる。
【００３９】
このとき運用者は、「ユーザＡ」を入力装置３５により選択指定したとする。そうすると、制御部３３は図４に示すポップアップ画面を表示装置３４に表示する。そして、この状態で運用者が画面右側の天気選択ボタンを入力装置３５により押下したとする。そうすると、制御部３３は、ステップＳＴ３ｂからステップＳＴ３ｃに移行してここで図６に示すような予め登録された複数の天気の一覧の子画面を表示装置３４に表示する。この表示により運用者は作成日の天気を選択できる。
【００４０】
このとき運用者は、「くもり」を入力装置３５により選択指定したとする。そうすると、制御部３３はポップアップ画面上で入力された運用者名及び天気を表示装置３４に表示する。この状態において運用者が入力装置３５において確定操作を行なうと、制御部３３は入力された運用者情報及び天気情報を記憶部３２に記憶保持する（ステップＳＴ３ｄ）。これにより業務日誌に記載する運用者情報及び天気情報の登録がなされる。
【００４１】
なお、運用者情報もしくは天気情報のどちらかが入力されていれば、図７に示すように、「済」印が例えば水色に点灯する。一方、運用者情報、天気情報のいずれも入力されていない場合、図８に示すように、「未」印が例えば桃色に点灯する。
【００４２】
制御部３３は、ステップＳＴ３ｅにおいて符号化回路１１、変調回路１２、送受信部１４、復調回路１６、復号回路１７、モデム１９１〜１９ｎといった信号処理部の運用状態を監視しており、各信号処理部から機器のアラーム情報や衛星ＳＡＴへ送信した内容、衛星ＳＡＴから受信した内容を含むイベントに関するイベント発生日時と、イベント発生元となる機器名と、分類と、イベント内容と、記憶部３２に登録された運用者情報及び天候情報とを対応付けた業務日誌情報を生成し（ステップＳＴ３ｆ）、この生成した業務日誌情報を記憶部３２に記憶するとともに、図９に示すように表示装置３４に供給して表示させる（ステップＳＴ３ｇ）。
【００４３】
なお、分類としては、例えば「ＣＯＮＴＲＯＬＬ」、「ＴＡＬＬＬＹ」、「ＡＲＡＲＭ」がある。「ＣＯＮＴＲＯＬＬ」は制御時に発生するログを示し、青色の文字で表示される。「ＴＡＬＬＬＹ」は機器状態変化時に発生するログを示し、緑色の文字で表示される。「ＡＲＡＲＭ」は機器異常時に発生するログを示し、発生は赤色、復旧は黄色の文字で表示される。また、機器名としては、親局ＴＳ全体を表す「ＳＹＳＴＥＭ」や、復調回路１６を表す「ＨＤ／ＳＤ  ＤＥＭ１」がある。
【００４４】
また、業務日誌画面を表示する毎に画面上側に表示される今月ボタンが選択状態表示となり、今月発生した運用ログが表示される。
【００４５】
また、画面表示時に月別表示ボタンは今月のボタンが最右端に配置され、左端に向かって順番に月表示がさかのぼって配置される。この業務日誌情報は、例えば運用者が運用後に各天気別にそのイベント発生内容を分析して不明点の傾向性を解析するために使用される。
【００４６】
図１０は、監視部２０において、外部保存制御の手順及びその内容を示すフローチャートである。
【００４７】
業務日誌情報の外部保存を行う際に、運用者は入力装置３５を操作して業務日誌画面の「外部保存」ボタンを押下することで先ず外部保存モードを設定する。制御部３３は、ステップＳＴ１０ａでこの外部保存モードを検出すると、続いてステップＳＴ１０ｂで外部メモリ４１の装着の有無を判定する。そして、外部メモリ４１が装着されていなければ、エラー表示を行って他の制御を実行する。
【００４８】
さて、いま例えば運用者が、監視部２０が設置されている部屋以外の部屋で業務日誌情報の表示または編集を行うべく、記憶媒体スロット３７に外部メモリ４１を装着したとする。そうすると制御部３３は、ステップＳＴ１０ｂからステップＳＴ１０ｃに移行し、ここで運用者によるファイル名の入力を受け付ける。
【００４９】
制御部３３は、入力されたファイル名を表示装置３４に表示する。この状態で運用者が入力装置３５において確定操作を行なうと、制御部３３はステップＳＴ１０ｄからステップＳＴ１０ｅに移行し、ここで上記業務日誌情報を記憶部３２から読み出して、業務日誌情報のデータフォーマットをテキストファイルのデータフォーマットに変換する。例えば、読み込んだ業務日誌情報のデータフォーマットがイベント発生日時ａａビット、イベント発生元となる機器名ｂｂビット、分類ｃｃビット、イベント内容ｄｄビット、運用者情報ｅｅビット、天気情報ｆｆビットからなっていれば、これらをテキストで規定されたイベント発生日時ｖｖビット、イベント発生元となる機器名ｗｗビット、分類ｘｘビット、イベント内容ｙｙビット、運用者情報ｚｚビット、天気情報ａａビットのビット列にフォーマット変換する。
【００５０】
続いて、制御部３３は、上記フォーマット変換された業務日誌情報を外部インタフェース３８を介して外部メモリ４１に書き込む（ステップＳＴ１０ｆ）。
【００５１】
以後、運用者が入力装置３５において外部保存終了操作を行なうまで、制御部３３は上記ステップＳＴ１０ｃからステップＳＴ１０ｇによる業務日誌情報の外部保存制御を繰り返す。
【００５２】
そうして外部メモリ４１に記憶した業務日誌情報を他の部屋で業務日誌情報の表示または編集を行うべく、運用者が外部メモリ４１を監視部２０から取り外して他の部屋のパーソナル・コンピュータに装着したとする。そうするとパーソナル・コンピュータは外部メモリ４１に記憶された業務日誌情報を読み出して表示装置に表示する。
【００５３】
以上のように上記実施形態では、監視部２０において、入力装置３５により運用者情報及びその日の天気情報を入力して記憶装置３２に登録しておくことで、イベント発生時に、制御部３３にてイベント発生日時と、イベント発生元となる親局ＴＳ全体または符号化回路１１、変調回路１２、送受信部１４、復調回路１６、復号回路１７、モデム１９１〜１９ｎといった信号処理部の機器名と、イベント内容と、記憶装置３２に登録された運用者情報及び天気情報とを対応付けた業務日誌情報を自動的に生成し、この業務日誌情報を記憶媒体スロット３７に装着された外部メモリ４１に記憶できるようにしている。
【００５４】
従って、運用者にとっては業務日誌の作成に必要な労力を大幅に低減することができ、しかも人為的ミスや業務日誌の記載漏れをなくすことができるとともに、外部メモリ４１に記憶された業務日誌情報を監視部２０の設置場所以外の別室や外出先において業務日誌情報の表示または編集を行うことができ、これにより運用者の利便性は大幅に改善される。
【００５５】
また、監視部２０に、業務日誌情報のデータフォーマット変換制御部３３ｂを設け、生成された業務日誌情報のデータフォーマットをテキストのデータファイルフォーマットに変換するようにしたことによって、専用のソフトウェアを新たに組み込むことなく、一般的なパーソナル・コンピュータにより業務日誌情報の表示または編集を行うことができる。
【００５６】
なお、上記実施形態では、天気情報として「晴れ」、「雨」、「くもり」、「雪」を例にして説明したが、例えば「晴れ時々くもり」や「晴れ及び強風」、「雨及び台風」等の細かな天候情報であってもよい。
【００５７】
また、上記実施形態では、不揮発性記憶素子を使用した可搬型の外部メモリ４１に業務日誌情報を記憶する例について説明したが、例えば外付けのハードディスクドライブ装置や他のパーソナル・コンピュータに内蔵されるメモリに業務日誌情報を記憶するようにしてもよい。
【００５８】
さらに、上記実施形態では、生成された業務日誌情報をテキストファイルデータフォーマットに変換する例について説明したが、例えばエクセル（登録商標）やＣＳＶ（Comma Separated Value）（登録商標）といった一般のパーソナル・コンピュータで表示または編集可能なデータフォーマットに変換するものであってもよい。
【００５９】
その他、システムの構成、親局の構成、監視部の機能構成、運用者情報、天候情報の登録手順とその内容、業務日誌情報の生成手順とその内容、業務日誌情報の外部メモリへの記憶制御手順とその内容等についても、この発明の要旨を逸脱しない範囲で種々変形して実施できる。
【符号の説明】
【００６０】
１１…符号化回路、１２…変調回路、１３…合成・分配器、１４…送受信部（Ｔ／Ｒ）、１５…アンテナ、１６…復調回路、１７…復号回路、１８…データ伝送アダプタ（ＯＷ  ＣＯＮＴ）、１９１〜１９ｎ…モデム、２０…監視部、３１…通信部、３２…記憶部、３３…制御部、３４…表示装置、３５…入力装置、３６…タイマ、３７…記憶媒体スロット、３８…外部インタフェース、４１…外部メモリ、３３ａ…外部メモリ保存受付制御部、３３ｂ…データフォーマット変換制御部、ＴＳ…親局、ＲＳ１，ＲＳ２…子局、ＳＡＴ…衛星。
【図１】
2010206638.tif 000003
【図２】
2010206638.tif 000004
【図３】
2010206638.tif 000005
【図４】
2010206638.tif 000006
【図５】
2010206638.tif 000007
【図６】
2010206638.tif 000008
【図７】
2010206638.tif 000009
【図８】
2010206638.tif 000010
【図９】
2010206638.tif 000011
【図１０】
2010206638.tif 000012